(57)【要約】【目的】構造の簡素化と、組付けの容易性を図った高圧トランス用のコイル装置を提供する。【構成】棒状のコアが内挿された２次コイルの外周囲に、導電性の板状部材を短冊状にプレス加工した１次側のプレスコイルを巻装し、そのプレスコイルの低圧側の端部にリング状の係合片を一体に設けて、その係合片をコアに嵌合させるとともに、その係合片に２次コイルの巻き始めを接合する突起を形成したコイルユニットからなるコイル装置。【選択図】      図１
2006066847.tif 000002
【特許請求の範囲】
【請求項１】
棒状のコアが内挿された２次コイルの外周囲に、導電性の板状部材を短冊状にプレス加工した１次側のプレスコイルを巻装し、そのプレスコイルの低圧側の端部にリング状の係合片を一体に設けて、その係合片をコアに嵌合させるとともに、その係合片に２次コイルの巻き始めを接合する突起を形成したコイルユニットからなるコイル装置。
【請求項２】
コイルユニットにおける１次側のプレスコイルの巻き始めの部分と巻き終りの部分とに、それぞれ外部接続用の端子を一体に突出形成したことを特徴とする請求項１の記載によるコイル装置。
【請求項３】
コイルユニットをコイルケース内に入れて、そのコイルケース内に絶縁性の樹脂を充填して一体に成形するようにしたうえで、コイルケース内にコイルユニットのプレスコイルを所定位置に押さえ付ける突出部を設けたことを特徴とする請求項１の記載によるコイル装置。
【請求項４】
２次コイルが、平角線を幅方向に巻回したエッジワイズコイルであることを特徴とする請求項１の記載によるコイル装置。
【発明の詳細な説明】
【技術分野】
【０００１】  本発明は、高圧トランス用のコイル装置に関する。
【背景技術】
【０００２】  従来、導電性の板状部材を短冊状の切り込みが入るように打ち抜いて、その切り込みを交互に広げて複数の輪が一連に形成されるようにプレス加工したコイル（プレスコイル）を棒状のコアに巻装させるようにしたコイルユニットからなるコイル装置が開発されている（特許文献１参照）。【０００３】
【特許文献１】  特開平６−８４６４８号公報（図１の構成参照）
【発明の開示】
【発明が解決しようとする課題】
【０００４】  解決しようとする問題点は、プレスコイルをコアに直接に巻装させる構造のコイルユニットからなるコイル装置では、ずれたり変形することがないようにプレスコイルをコアにしっかりと巻き付かせることが可能である。しかし、高圧トランス用のコイル装置として、棒状のコアが内挿された２次コイルの外周囲に絶縁距離を保つように隙間を空けて１次側のプレスコイルを同心状に巻装させる場合には、プレスコイルの位置決め固定手段を別途設ける必要があるとともに、２次コイルとの結線および外部引き出しのための結線の処理が複雑になってしまうことである。
【課題を解決するための手段】
【０００５】  本発明によるコイル装置は、コイルユニットを形成するに際して、棒状のコアが内挿された２次コイルの外周囲に、導電性の板状部材を短冊状にプレス加工した１次側のプレスコイルを巻装し、そのプレスコイルの低圧側の端部にリング状の係合片を一体に設けて、その係合片をコアに嵌合させるとともに、その係合片に２次コイルの巻き始めを接合する突起を形成するようにしている。【０００６】  そして、プレスコイルの巻き始めの部分と巻き終りの部分とにそれぞれ外部接続用の端子を一体に突出形成するようにしている。
【発明の効果】
【０００７】  本発明によれば、高圧トランス用のコイル装置におけるコイルユニットとして棒状のコアが内挿された２次コイルの外周囲に絶縁距離を保つように隙間を空けて１次側のプレスコイルを同心状に巻装させる場合、プレスコイル側に一体に設けた係合片をコアに嵌合させることによって、プレスコイルを所定箇所に容易に位置決め固定することができる。その際、プレスコイルの低圧側に設けた係合片に２次コイルの巻き始めを接合するようにしているので、２次コイルに対して電位差の影響を与えることなくプレスコイルを固定させることができるようになる。【０００８】  そして、プレスコイルの巻き始めの部分と巻き終りの部分とにそれぞれ外部接続用の端子を一体的に突出形成するようにしているので、別途端子部材を用いることなく、２次コイルとの結線および外部引き出しのための結線の処理を容易に行わせることができるようになる。
【実施例１】
【０００９】  本発明によるコイル装置にあっては、そのコイルユニットが図１に示すように構成されている。【００１０】  すなわち、そのコイルユニットは、棒状のコア１が内挿された２次コイル２の外周囲に、導電性の板状部材を短冊状に打ち抜いてプレス加工した図２に示す１次側のプレスコイル３を巻装し、そのプレスコイル３の巻き始め（低圧側）の端部にリング状の係合片３１を一体に設けて、その係合片３１をコア１に嵌合させるとともに、その係合片３１に２次コイル２の巻き始めを接合する突起３２を形成するようにしている。【００１１】  そして、プレスコイル３の巻き始めの部分に外部接続用の端子３３とその巻き終りの部分に外部接続用の端子３４とをそれぞれ一体に突出形成するようにしている。【００１２】  ここでは、２次コイル２が、平角線をその幅方向に巻回したエッジワイズコイルからなっている。【００１３】  図３は、プレスコイル３の係合片３１に形成された突起３２に２次コイル２の巻き始めの端末２１が接合して、１次側のプレスコイル３の低圧側と２次コイル２の低圧側とが電気的に接続されている状態を示している。実際には、プレスコイル３の係合片３１に形成された突起３２に２次コイル２の巻き始めの端末２１を接合したうえで、フュージング（抵抗溶接）、レーザ溶接、端子同士の接続、半田付け等によって接続処理を行うことになる。【００１４】  図４および図５は、プレスコイル３の巻き始めの部分とその巻き終りの部分にそれぞれ突出形成される端子３３，３４の形状が異なるようにした、プレスコイルの他の構成例をそれぞれ示している。【００１５】  このような構成によるコイルユニットでは、プレスコイル３の巻き始め側に設けられたリング状の係合片３１をコア１に嵌合させて、その係合片３１の突起３２の部分で２次コイル２の巻き始めを電気的に接続するようにしているので、１次側と２次側とにおける電位差のない箇所で、コイルユニットの電気的な特性に影響を与えることなく、プレスコイル３をしっかりと固定させることができるようになる。【００１６】  また、導電性の板状部材を短冊状に打ち抜いてプレス加工することによってプレスコイル３を形成するに際して、プレスコイル３側の係合片３１に２次コイル２の巻き始めを接合する突起３２を形成するとともに、プレスコイル３の巻き始めの部分と巻き終りの部分とにそれぞれ外部接続用の端子３３，３４を一体的に突出形成するようにしているので、別途端子部材を用いることなく、２次コイル２との結線および外部引き出しのための結線の処理を容易に行わせることができるようになる。【００１７】  本発明によるコイル装置は、以上のように構成された図６に示すコイルユニット４を図８に示すコイルケース５内に入れて、そのコイルケース５内に絶縁性の樹脂を充填して一体に成形するようにしている。その際、特に本発明では、コイルケース５内にコイルユニット４を収納させるに際して、図１０に示すように、コイルケース５内にコイルユニット４のプレスコイル３を所定位置に押さえ付ける複数の突出部６をケース内面に沿って設けるようにしている。【００１８】  図７は、図６に示すコイルユニット４の側面図を示している。図９は、図８に示すコイルケース���のＡ−Ａ矢視による断面図を示している。また、図１１は、図１０のＢ−Ｂ矢視による断面図を示している。【００１９】  このように、コイルケース５内にコイルユニット４を収納させるに際して、コイルケース５内に設けられた複数の突出部６間にプレスコイル３の素線がそれぞれ挟持されて、プレスコイル３がケース内の所定位置に固定的に収納される。【００２０】  したがって、プレスコイル３の位置決め固定手段を別途設ける必要なく、２次コイルの外周囲に絶縁距離を保つように所定の隙間が空けられた状態でプレスコイル３を同心状に位置決め固定させることができ、その状態でコイルケース５内に絶縁性の樹脂を充填して一体成形することによって品質の良いコイル装置を得ることができるようになる。
【産業上の利用可能性】
【００２１】  本発明によれば、棒状のコアが内挿された２次コイルの外周囲に絶縁距離を保つように隙間を空けて１次側のプレスコイルを同心状に巻装させるに際して、プレスコイルの巻き始め側に設けられたリング状の係合片をコアに嵌合させて、その係合片に一体的に形成した突起の部分で２次コイルの巻き始めを電気的に接続するようにしているので、１次側と２次側とにおける電位差のない箇所で、コイルユニットの電気的な特性に影響を与えることなく、プレスコイルをしっかりと固定させることができるという利点がある。【００２１】  そして、導電性の板状部材を短冊状に打ち抜いてプレス加工することによってプレスコイルを形成するに際して、プレスコイル側の係合片に２次コイルの巻き始めを接合する突起を形成するとともに、プレスコイルの巻き始めの部分と巻き終りの部分とにそれぞれ外部接続用の端子を一体的に突出形成するようにしているので、別途端子部材を用いることなく、２次コイルとの結線および外部引き出しのための結線の処理を容易に行わせることができるという利点がある。【００２２】  また、本発明は、コイルケース内にコイルユニットのプレスコイルを所定位置に押さえ付ける複数の突出部を設けるようにしているので、２次コイルの外周囲に絶縁距離を保つように所定の隙間が空けられた状態でプレスコイルを同心状に位置決め固定させることができ、その状態でコイルケース内に絶縁性の樹脂を充填して一体成形することによって品質の良いコイル装置を得ることができるという利点がある。
【図面の簡単な説明】
【００２３】
【図１】本発明によるコイル装置におけるコイルユニットの一構成例を示す斜視図である。
【図２】そのコイルユニットにおける１次側のプレスコイルを示す斜視図である。
【図３】そのコイルユニットにおけるプレスコイルの係合片に形成された突起に２次コイルの巻き始めの端末が接合している状態を示すコイルユニットの斜視図である。
【図４】プレスコイルの他の構成例を示す斜視図である。
【図５】プレスコイルのさらに他の構成例を示す斜視図である。
【図６】本発明によるコイルユニットの一構成例を示す正面図である。
【図７】そのコイルユニットの側面図である。
【図８】コイルケースの一構成例を示す平面図である。
【図９】そのコイルケースのＡ−Ａ矢視による断面図である。
【図１０】コイルケース内にコイルユニットが収納された状態を示す平面図である。
【図１１】図１０のＢ−Ｂ矢視による断面図である。
【符号の説明】
【００２４】１  コア
２  ２次コイル
３  プレスコイル
３１  係合片
３２  突起
３３  外部接続用の端子
３４  外部接続用の端子
４  コイルユニット
５  コイルケース
６  突出部
【図１】
2006066847.tif 000003
【図２】
2006066847.tif 000004
【図３】
2006066847.tif 000005
【図４】
2006066847.tif 000006
【図５】
2006066847.tif 000007
【図６】
2006066847.tif 000008
【図７】
2006066847.tif 000009
【図８】
2006066847.tif 000010
【図９】
2006066847.tif 000011
【図１０】
2006066847.tif 000012
【図１１】
2006066847.tif 000013